(57)【要約】【課題】ダイレクトメールを送付した際に、受取人が伝達内容を認識する機会を確実にすることが従来に比べ格段に改善されるダイレクトメールを提供する。【解決手段】情報を潜像として備えた情報表示部と該情報表示部に熱を伝達する懐炉部とを備え、前記潜像が熱可視化材料で形成する。【選択図】図１
2016193608.tif 000002
【特許請求の範囲】
【請求項１】
情報を潜像として備えた情報表示部と該情報表示部に熱を伝達する懐炉部とを備え、前記潜像が熱可視化材料で形成されていることを特徴とするダイレクトメール。
【請求項２】
「このＤＭには、あなたにだけお知らせする情報が懐炉を働かせると見えるようになります」などの添え書き部を有する請求項１に記載のダイレクトメール。
【発明の詳細な説明】
【技術分野】
【０００１】  本発明は、カイロ（懐炉）付ダイレクトメールに関する。
【背景技術】
【０００２】  ダイレクトメール（Ｄｉｒｅｃｔ  Ｍａｉｌ；以後、「ＤＭ」と記すこともある）は、個々人あるいは法人宛に商品案内やカタログを送付する方法のひとつであり、宣伝（販促）手段、あるいは営業支援の仕組みである。ダイレクトメールは、郵便やメール便などを利用して届けられる。これによって届くものの形態は、紙一枚の葉書やチラシ程度のものから、封書・大判封筒・パンフレット様のもの、さらには雑誌や書籍ほどのボリュームとなっているものまで様々である。【０００３】  その中で、宣伝広告が内容となっているダイレクトメールは、受取った側（或は受取人）には宣伝内容を精読されることなく放置され、あるいは、廃棄される場合が少なくない。
その理由の一つは、ＤＭが視界に入った段階で受取人が一瞬で興味引く点が欠けているか不足しているか、或は興味を引く点があるとしても一瞬で認識できるように工夫されていないのが大半である点である。
この点を解決するとして、マスコット人形、テッシュペーパー、使い捨てカイロなどの販促品（或はサービス品）を付属させて受取り人の興味をそそる様に仕向けるＤＭがある（例えば、特許文献１）。
【先行技術文献】
【特許文献】
【０００４】
【特許文献１】実公平０２−００２６１号公報（登録実用新案１８３５０４３号）
【発明の概要】
【発明が解決しようとする課題】
【０００５】  しかし、例えば、特許文献１に記載の郵便葉書は、使い捨てカイロを備えることで、受取人に興味を起こさせるものであるとしているが、場合によっては使い捨てカイロに興味を持つだけに留まり、受取人に認識させなければならない本来の通信内容（又は伝達情報）を確実に精読してもらえる保証はない。
その理由の一つは、殆ど大半のＤＭでは、ＤＭに付属される販促品（或はサービス品）と本来の通信内容との間が無関係であることによる。【０００６】  本発明は、上記点に鑑み鋭意研究した結果なされたものであり、その目的とするところは、受取人が伝達内容を認識する機会を確実にすることが従来に比べ格段に改善されるＤＭを提供することである。
【課題を解決するための手段】
【０００７】  上記課題を解決するための本発明の手段は、伝達情報を潜像として備えた情報表示部と該情報表示部に熱を伝達する懐炉部とを備え、前記潜像が熱可視化材料で形成されていることを特徴とするダイレクトメールにある。
【発明の効果】
【０００８】  本発明によると、受取人が伝達内容を認識する機会を確実にすることが従来に比べ格段に改善される。
さらには、カイロを機能させた温度変化により情報表示部に潜像化されている伝達内容が可視化されることで色やデザインの変化を楽しんで使用してもらうことができ、かつ、そのデザインに宣伝したいロゴを用いることで、受取人に送り手側のことを強く印象付けることができる。
【図面の簡単な説明】
【０００９】
【図１】本発明に係る送付時のカイロ付郵便物の一実施形態を説明する模式図。。
【図２】本発明に係るカイロ本体の一実施形態を説明する模式図。
【図３】本発明に係るカイロの外装の一実施形態を説明する模式図。
【図４】本発明に係る送付時のカイロ付郵便物の一実施形態を説明する模式図。
【発明を実施するための形態】
【００１０】  本発明のＤＭは、伝達情報を潜像として備えた情報表示部と該情報表示部に熱を伝達する懐炉部とを備え、前記潜像が熱可視化材料で形成されている。
本発明でいうＤＭは、ＤＭとして通常使用されている意味で本発明においても使用される。
本発明のＤＭは、郵便システム、ゆうメールシステム、宅配便システムなどの配達サービスを利用して目的の受取人宛に配送される。「郵便法における信書」にあたるものは、郵便システを利用でき、「郵便法における信書」にあたらないものは、ゆうメールシステム、宅配便システムを利用する。
本発明のＤＭの形態は、紙一枚の葉書やチラシ程度のものから、封書・大判封筒・パンフレット様のもの、さらには雑誌や書籍ほどのボリュームとなっているものまで様々の形態を取り得る。
【００１１】  本発明のＤＭにおける情報表示部には、熱可視化材料で受取人に認識してもらうための通信情報の潜像が形成されている。通信情報は、文字情報でも画像情報でもこれらの混合情報でもよいが、目的の受取人に認識してもらう情報であれば、上記情報に限られない。
【００１２】  本発明において使用される前記熱可視化材料は、必要な熱エネルギーの作用を受けると可視化する、生物に対して化学的に安全なものであれば、大概のものが使用できる。
そのような材料には、例えば感熱材料があげられる。感熱材料は、熱により化学反応を起こして変色する物質（色素前駆体であるロイコ色素と、それと反応する顕色剤）のことである。感熱材料で形成した潜像は、黒色、紺色、あるいはセピア色に変色して可視化される。
感熱材料にはこの他、サーモオートクローム（ＴＡ）方式で採用されている顕色剤を内包した感温性マイクロカプセルがあげられる。この感温性マイクロカプセルはＣＭＹの三原色のものが形成できるのでフルカラー表現が可能であり、また、マイクロカプセル特性を変えることで各色の諧調表現も可能である。
他には、ＺＩＮＫ  Ｚｅｒｏ  Ｉｎｋ方式に採用されるものが使用できる。染料の結晶を備えた発色層で通信情報の潜像を構成する。この染料結晶を熱で溶かすことにより発色させる仕組みで、ＣＭＹの三原色の発色層を形成することが出来るのでフルカラー表現が可能である。
【００１３】  本発明において使用される前記熱可視化材料は、上記の感熱材料の他に、温度の変化によって無色／有色変化する、所謂、示温材料といわれるものも採用され得る。示温材料には、温度の変化によって無色／有色変化を繰り返す可逆的なものと繰り返さない不可逆的なものがあるが、本発明においては何れも使用される。示温材料としては、示温塗料、示温インキなどを挙げることが出来る。特に、示温インキは、通信情報を印刷機で印刷したり、或いはプリンタでプリントすることが出来るので好ましい熱可視化材料である。
【００１４】  熱可視化材料は、通常は無色で特定の温度になると有色（本発明では黒化も有色に含む）を発現するものが好ましく使用されるが、通常でも有色であるが、特定の温度になると別の色に変化するものも使用される。この場合は、通常の色と同色で温度により変色しない材料の背景上に熱可視化材で通信情報の潜像を形成する。
【００１５】  本発明における懐炉部を構成するものとしては、白金触媒式カイロ、使い捨てカイロ、電子レンジカイロ、電池式カイロ、エコカイロなど簡便に配送し得る懐炉が採用される。
白金触媒式カイロは、ベンジンなど炭化水素の燃料を、プラチナの触媒作用により通常摂氏３００度〜４００度の比較的低温域で穏やかに二酸化炭素と水へ酸化分解させ、その過程で反応熱を取り出すものである。
使い捨てカイロは、鉄粉の酸化作用を利用したカイロであり、不織布や紙の袋に空気中で酸化発熱する鉄粉を入れたものが一般的である。使用前は真空パックや無酸素包装などで酸素に触れない様に密封されており、使用時にはこれを開封する事で酸化が始まり発熱する。ＪＩＳ表記上は「使い捨てかいろ」と平仮名であるが、「使い捨てカイロと（片仮名で）表記しても良い」とされる。また、日本カイロ工業会では「使い切りタイプのかいろ」という表記をしている。
電子レンジカイロは、中にゲル状の保温材が封入されており使用時は電子レンジで加熱して使う方式のカイロのことである。
電池式カイロは、所謂、充電式カイロのことである。
エコカイロとは、酢酸ナトリウムの物理反応を利用したカイロのことである。使用後吸熱させることで再利用が可能であり、酢酸水溶液などの溶液とコイン状の金属片を封入したビニールパックが「エコカイロ」などの名前で売られている。溶液は常温で過冷却状態であり内封の金属片で刺激すると結晶化し、約５０℃前後の発熱を１時間ほど持続する。放熱後熱湯に入れ吸熱させることで繰り返し使用が可能である。
【００１６】  本発明のＤＭでは、受取人が付随している懐炉を機能させて潜像化されている通信情報を発現（或いは現像）させて確実に認識するように、「このＤＭには、あなたにだけお知らせする情報が懐炉を働かせると見えるようになります」などが添え書きされていると、受取人がより興味を示し得るので好ましい。
【００１７】  本願発明の実施形態の代表例を、図面を参照して以下に詳述する。
【００１８】  実施形態１として、図１から図２を参照すると、ＤＭの形態は葉書（１）、懐炉部を構成するものとしては使い捨てカイロ（２）から構成され、上述したようないずれかの熱可視化材料を用いて使い捨てカイロ（２）のカイロ本体部（２ａ）に情報表示部（３）を備える。
ここで、使い捨てカイロ（２）において、空気中で酸化発熱する鉄粉を入れた不織布や紙といった開封後使用者が手に取り使用するものをカイロ本体部（２ａ）とし、また、酸素に触れない様に密封された真空パックや無酸素包装といった袋の部分をカイロ外装部（２ｂ）する。
【００１９】  葉書（１）のおもて面（１ａ）に宛名記載箇所（４）を設け、うら面（１ｂ）に使い捨てカイロ（２）備える。
使い捨てカイロ（２）を備えた葉書（１）を受取人が受け取り、その後受取人が使い捨てカイロ（２）のカイロ外装部（２ｂ）を開封しカイロ本体部（２ａ）を取り出す。カイロ本体部（２ａ）が発熱を始めることで、熱可視化材料を用いた情報表示部（３）から伝達したい情報が可視化される。
【００２０】  本実施形態１において図２を参照すると、熱可視化材料を用いた情報表示部（３）は、カイロ本体（２ａ）の中央部に熱可視化材料により一色で記した長方形のマーク（情報表示部（３））をデザインしておく。使い捨てカイロ（２）のカイロ外装部（２ｂ）を開封し、使用を始めカイロ本体部（２ａ）の温度が上がるに伴い、該長方形のマーク（情報表示部（３））の部分から宣伝したいロゴ等が浮き出てくるといったものである。
この時、不可逆性の熱可視化材料を用いた場合には、温度が上がり、ロゴが一度浮き出てくるとその後、該ロゴは消えることはない。一方で可逆性の熱可視化材料を用いた場合には、保持時間が過ぎ温度が下がるに伴い、再度当初のデザイン、ここでは一色で記した長方形のマークに戻ることになる。
【００２１】  また、本実施形態２として図３のように、使い捨てカイロ（２）のカイロ外装部（２ｂ）に片面側に宛名記載箇所（４）を設け、必要な情報をカイロ外装部（２ｂ）に記載しておくことにより、使い捨てカイロ（２）自体をそのままダイレクトメールとして送ることを可能とする。
【００２２】  さらには、実施形態３として図４のように、ダイレクトメールの形状を箱（５）とし、箱（５）に宛名記載箇所（４）を設け、箱（５）の中にはがきや手紙といった広告等と共にカイロを収容して送ることを可能とし、また、箱に収容して送ることから通信文等の機密性を保つことができる。
【産業上の利用可能性】
【００２３】  本願発明のカイロ付ダイレクトメールは、宣伝広告等のダイレクトメールを送る際に、受取人が伝達内容を認識する機会を確実にすることが従来に比べ格段に改善されることが可能な、宣伝広告用のダイレクトメールとして利用できる。
【符号の説明】
【００２４】（１）：葉書
（２）：使い捨てカイロ
（２ａ）：カイロ本体部
（２ｂ）：カイロの外装部
（３）：情報表示部
（４）：宛名記載箇所
（５）：箱
【図１】
2016193608.tif 000003
【図２】
2016193608.tif 000004
【図３】
2016193608.tif 000005
【図４】
2016193608.tif 000006